(57)【要約】【課題】表示画像における階調の直線性を保ち画像表示品質を向上させる。【解決手段】プラズマディスプレイ装置は、プラズマディスプレイパネル１０の表示領域における全放電セル数に対する点灯させるべき放電セル数の割合を検出する全セル点灯率検出回路４６と、プラズマディスプレイパネル１０の表示領域を複数の領域に分け、それらの領域のそれぞれにおいて、放電セル数に対する点灯させるべき放電セル数の割合を検出する部分点灯率検出回路４７と、複数の補正係数を全セル点灯率および部分点灯率に関連付けてあらかじめ記憶し、そのうちのいずれか１つを全セル点灯率および部分点灯率に応じて読み出すルックアップテーブルとを備え、それぞれのサブフィールドにおいて、ルックアップテーブルから読み出される補正係数で補正した数の維持パルスを発生する。【選択図】図４
2010175665.tif 000002
【特許請求の範囲】
【請求項１】
輝度重みが設定されたサブフィールドを１フィールド内に複数設け、維持期間に前記輝度重みに応じた数の維持パルスを発生して階調表示され、走査電極と維持電極とからなる表示電極対を有する放電セルを複数備えたプラズマディスプレイパネルと、
入力画像信号を前記放電セルにおける前記サブフィールド毎の発光・非発光を示す画像データに変換する画像信号処理回路と、
前記維持期間に前記表示電極対の前記走査電極と前記維持電極とに交互に印加される前記維持パルスを発生する維持パルス発生回路と、
前記プラズマディスプレイパネルの表示領域における全放電セル数に対する点灯させるべき放電セル数の割合を全セル点灯率として前記サブフィールド毎に検出する全セル点灯率検出回路と、
前記プラズマディスプレイパネルの表示領域を複数の領域に分け、前記領域のそれぞれにおいて、放電セル数に対する点灯させるべき放電セル数の割合を部分点灯率として前記サブフィールド毎に検出する部分点灯率検出回路と、
複数の補正係数を前記全セル点灯率および前記部分点灯率に関連付けてあらかじめ記憶したルックアップテーブルとを備え、
前記維持パルス発生回路は、それぞれの前記サブフィールドにおいて、前記入力画像信号および前記輝度重みにもとづき設定される前記維持パルスの発生数を、前記全セル点灯率および前記部分点灯率に応じて前記ルックアップテーブルから読み出される前記補正係数で補正した数の前記維持パルスを発生することを特徴とするプラズマディスプレイ装置。
【請求項２】
前記部分点灯率検出回路は、前記部分点灯率が所定のしきい値を超える前記領域における前記部分点灯率の平均値を前記サブフィールド毎に算出し、
前記ルックアップテーブルは、前記全セル点灯率および前記部分点灯率の平均値にもとづき前記補正係数を読み出すことを特徴とする請求項１に記載のプラズマディスプレイ装置。
【請求項３】
前記部分点灯率検出回路は、１対の前記表示電極対を１つの前記領域とし、前記表示電極対毎に前記部分点灯率を検出することを特徴とする請求項１または請求項２に記載のプラズマディスプレイ装置。
【請求項４】
前記所定のしきい値は０であることを特徴とする請求項２に記載のプラズマディスプレイ装置。
【請求項５】
前記維持パルス発生回路は、前記維持パルスの立ち上がり期間および立ち下がり期間の少なくとも一方の長さが異なる複数の前記維持パルスを発生するとともに、発生する前記維持パルスの組み合わせが異なる複数の駆動パターンの中から、前記全セル点灯率および前記部分点灯率の平均値に応じていずれか１つの前記駆動パターンを選択して前記維持パルスを発生することを特徴とする請求項１に記載のプラズマディスプレイ装置。
【請求項６】
走査電極と維持電極とからなる表示電極対を有する放電セルを複数備えたプラズマディスプレイパネルを、輝度重みが設定されたサブフィールドを１フィールド内に複数設け、維持期間に前記輝度重みに応じた回数の放電を前記放電セルで発生させる維持パルスを、前記表示電極対の前記走査電極と前記維持電極とに交互に印加して階調表示するプラズマディスプレイパネルの駆動方法であって、
前記プラズマディスプレイパネルの表示領域における全放電セル数に対する点灯させるべき放電セル数の割合を全セル点灯率として前記サブフィールド毎に検出するとともに、前記プラズマディスプレイパネルの表示領域を複数の領域に分け、前記領域のそれぞれにおいて、放電セル数に対する点灯させるべき放電セル数の割合を部分点灯率として前記サブフィールド毎に検出し、それぞれの前記サブフィールドにおいて、入力画像信号および前記輝度重みにもとづき設定される前記維持パルスの発生数を、前記全セル点灯率および前記部分点灯率にもとづく補正係数で補正することを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では、各走査電極に初期化波形を印加し、各放電セルで初期化放電を発生させる。それにより、続く書込み動作のために必要な壁電荷を各放電セルに形成するとともに、書込み放電を安定して発生させるためのプライミング粒子（書込み放電を発生させるための励起粒子）を発生させる。
【０００５】
書込み期間では、走査電極に順次走査パルスを印加（以下、この動作を「走査」とも記す）するとともに、データ電極には表示すべき画像信号に対応した書込みパルスを選択的に印加する（以下、これらの動作を総称して「書込み」とも記す）。それにより、走査電極とデータ電極との間で選択的に書込み放電を発生させ、選択的に壁電荷を形成する。
【０００６】
そして維持期間では、表示させるべき輝度に応じた所定の回数の維持パルスを走査電極と維持電極とからなる表示電極対に交互に印加する。それにより、書込み放電による壁電荷形成が行われた放電セルで選択的に維持放電を発生させ、その放電セルを発光させる。このようにして、パネルの表示領域に画像を表示する。
【０００７】
このサブフィールド法では、例えば、複数のサブフィールドのうち、１つのサブフィールドの初期化期間においては全ての放電セルを放電させる全セル初期化動作を行い、他のサブフィールドの初期化期間においては維持放電を行った放電セルに対して選択的に初期化放電を行う選択初期化動作を行うことで、階調表示に関係しない発光を極力減らしコントラスト比を向上させることが可能である。
【０００８】
また、表示電極対間で駆動インピーダンスに差が生じると、駆動電圧の電圧降下に差が生じ、同じ輝度の画像信号にもかかわらず発光輝度に差が生じることがある。そこで、表示電極対間で駆動インピーダンスが変化したときに１フィールド内でのサブフィールドの点灯パターンを変化させる技術が開示されている（例えば、特許文献１参照）。
【０００９】
また、表示電極対の一方に印加する維持パルスの立ち上がりを行う時間と、表示電極対の他方に印加する維持パルスの立ち下がりを行う時間とが重複する重複期間を設けるとともに、点灯率検出回路において検出した点灯率に応じて重複期間を変更することで、パネルにおける残像現象を軽減し、各放電セルの表示輝度を均一化する技術が開示されている（例えば、特許文献２参照）。
【特許文献１】特開２００６−１８４８４３号公報
【特許文献２】特開２００８−２０９８４０号公報
【発明の開示】
【発明が解決しようとする課題】
【００１０】
近年では、パネルの大画面化、高精細化にともない、パネルの駆動インピーダンスは増大する傾向にある。そのようなパネルでは、表示電極対間に生じる駆動インピーダンスの差も大きくなりやすく、駆動電圧の電圧降下の差も大きくなりやすい。
【００１１】
サブフィールド間で駆動インピーダンスに差があると、一回の維持放電で生じる発光輝度にサブフィールド間での差が生じる。パネルをサブフィールド法で駆動する場合、上述したように、１フィールド期間を複数のサブフィールドに分割した上で、発光させるサブフィールドの組み合わせによって階調表示を行う。そのため、一回の維持放電で生じる発光輝度にサブフィールド間で差が生じると、階調の直線性（リニアリティ  Ｌｉｎｅａｒｉｔｙ）が損なわれるおそれがある。
【００１２】
そして、パネルの大画面化、高精細化により駆動インピーダンスが増大したパネルでは、サブフィールド間での駆動インピーダンスの差が大きくなりやすく、サブフィールド間での発光輝度の差が生じやすいため、階調の直線性が損なわれやすい傾向にある。このようなパネルで、階調の直線性が保たれた画像を表示するためには、サブフィールド毎に生じる発光輝度の差に応じて最適に各サブフィールドの輝度を制御することが望ましい。しかしながら、従来技術では、サブフィールド毎に生じる発光輝度の変化を精度良く推定することは困難であった。
【００１３】
本発明は、このような課題に鑑みなされたものであり、大画面化、高精細化されたパネルであっても、サブフィールド毎に生じる発光輝度の変化を精度良く推定し、表示画像における階調の直線性を保って画像表示品質を向上させることができるプラズマディスプレイ装置およびパネルの駆動方法を提供することを目的とする。
【課題を解決するための手段】
【００１４】
本発明のプラズマディスプレイ装置は、輝度重みが設定されたサブフィールドを１フィールド内に複数設け、維持期間に輝度重みに応じた数の維持パルスを発生して階調表示され、走査電極と維持電極とからなる表示電極対を有する放電セルを複数備えたパネルと、入力画像信号を放電セルにおけるサブフィールド毎の発光・非発光を示す画像データに変換する画像信号処理回路と、維持期間に表示電極対の走査電極と維持電極とに交互に印加される維持パルスを発生する維持パルス発生回路と、パネルの表示領域における全放電セル数に対する点灯させるべき放電セル数の割合を全セル点灯率としてサブフィールド毎に検出する全セル点灯率検出回路と、パネルの表示領域を複数の領域に分け、それらの領域のそれぞれにおいて、放電セル数に対する点灯させるべき放電セル数の割合を部分点灯率としてサブフィールド毎に検出する部分点灯率検出回路と、複数の補正係数を全セル点灯率および部分点灯率に関連付けてあらかじめ記憶したルックアップテーブルとを備え、維持パルス発生回路は、それぞれのサブフィールドにおいて、入力画像信号および輝度重みにもとづき設定される維持パルスの発生数を、全セル点灯率および部分点灯率に応じてルックアップテーブルから読み出される補正係数で補正した数の維持パルスを発生することを特徴とする。
【００１５】
これにより、全セル点灯率および部分点灯率を検出することでサブフィールド毎に生じる発光輝度の変化を精度良く推定し、入力画像信号および輝度重みにもとづき設定した維持パルスの発生数を、全セル点灯率および部分点灯率に応じた補正係数によって補正して維持パルスを発生することが可能となるので、大画面化、高精細化されたパネルであっても、表示画像における階調の直線性を保ち、画像表示品質を向上させることが可能となる。
【００１６】
また、このプラズマディスプレイ装置において、部分点灯率検出回路は、部分点灯率が所定のしきい値を超える領域における部分点灯率の平均値をサブフィールド毎に算出し、ルックアップテーブルは、全セル点灯率および部分点灯率の平均値にもとづき補正係数を読み出す構成であってもよい。これにより、部分点灯率が所定のしきい値以下になる領域を除く領域における部分点灯率の平均値を用いて発光輝度の変化を推定することができるようになるので、補正係数をより精度良く設定することが可能となる。
【００１７】
また、このプラズマディスプレイ装置において、部分点灯率検出回路は、１対の表示電極対を１つの領域とし、表示電極対毎に部分点灯率を検出する構成であってもよい。
【００１８】
また、このプラズマディスプレイ装置において、上述した所定のしきい値は０であってもよい。
【００１９】
また、このプラズマディスプレイ装置において、維持パルス発生回路は、維持パルスの立ち上がり期間および立ち下がり期間の少なくとも一方の長さが異なる複数の維持パルスを発生するとともに、発生する維持パルスの組み合わせが異なる複数の駆動パターンの中から、全セル点灯率および部分点灯率の平均値に応じていずれか１つの駆動パターンを選択して維持パルスを発生する構成であってもよい。これにより、全セル点灯率および部分点灯率の平均値に応じて最適な駆動パターンで維持パルスを発生することが可能となるので、消費電力を削減しつつ放電を安定に発生させることができる。さらに、駆動パターンに応じた最適な補正係数を設定することが可能となるので、駆動パターンがサブフィールド間で変化するような表示パターンであっても階調の直線性を保つことが可能となり、画像表示品質を向上させることが可能となる。
【００２０】
また、本発明のパネルの駆動方法は、走査電極と維持電極とからなる表示電極対を有する放電セルを複数備えたパネルを、輝度重みが設定されたサブフィールドを１フィールド内に複数設け、維持期間に輝度重みに応じた回数の放電を放電セルで発生させる維持パルスを、表示電極対の走査電極と維持電極とに交互に印加して階調表示するパネルの駆動方法であって、パネルの表示領域における全放電セル数に対する点灯させるべき放電セル数の割合を全セル点灯率としてサブフィールド毎に検出するとともに、パネルの表示領域を複数の領域に分け、それらの領域のそれぞれにおいて、放電セル数に対する点灯させるべき放電セル数の割合を部分点灯率としてサブフィールド毎に検出し、それぞれのサブフィールドにおいて、入力画像信号および輝度重みにもとづき設定される維持パルスの発生数を、全セル点灯率および部分点灯率にもとづく補正係数で補正することを特徴とする。
【００２１】
これにより、全セル点灯率および部分点灯率を検出することでサブフィールド毎に生じる発光輝度の変化を精度良く推定し、入力画像信号および輝度重みにもとづき設定した維持パルスの発生数を、全セル点灯率および部分点灯率に応じた補正係数によって補正して維持パルスを発生することが可能となるので、大画面化、高精細化されたパネルであっても、表示画像における階調の直線性を保ち、画像表示品質を向上させることが可能となる。
【発明の効果】
【００２２】
本発明によれば、大画面化、高精細化されたパネルであっても、表示画像における階調の直線性を保って画像表示品質を向上させることができるプラズマディスプレイ装置およびパネルの駆動方法を提供することが可能となる。
【発明を実施するための最良の形態】
【００２３】
以下、本発明の実施の形態におけるプラズマディスプレイ装置について、図面を用いて説明する。
【００２４】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２５】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２６】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２７】
これら前面板２１と背面板３１とは、微小な放電空間をはさんで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。なお、Ｒ・Ｇ・Ｂの各色で発光する３つの放電セルで１つの画素が構成される。
【００２８】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２９】
図２は、本発明の実施の形態１におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００３０】
次に、パネル１０を駆動するための駆動電圧波形とその動作の概要について説明する。なお、本実施の形態におけるプラズマディスプレイ装置は、サブフィールド法、すなわち１フィールドを時間軸上で複数のサブフィールドに分割し、各サブフィールドに輝度重みをそれぞれ設定し、サブフィールド毎に各放電セルの発光・非発光を制御することによって階調表示を行うものとする。
【００３１】
このサブフィールド法では、例えば、１フィールドを８つのサブフィールド（第１ＳＦ、第２ＳＦ、・・・、第８ＳＦ）で構成し、各サブフィールドはそれぞれ（１、２、４、８、１６、３２、６４、１２８）の輝度重みを有する構成とすることができる。この構成では、Ｒ信号、Ｇ信号、Ｂ信号をそれぞれ０から２５５までの２５６階調で表示することができる。また、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては維持放電を行った放電セルに対して選択的に初期化放電を発生させる選択初期化動作を行う（以下、選択初期化動作を行うサブフィールドを「選択初期化サブフィールド」と呼称する）ことで、階調表示に関係しない発光を極力減らしコントラスト比を向上させることが可能である。
【００３２】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の比例定数を乗じた数の維持パルスを表示電極対２４のそれぞれに印加する。このときの比例定数が輝度倍率である。
【００３３】
しかし、本実施の形態は、サブフィールド数や各サブフィールドの輝度重みが上記の値に限定されるものではなく、また、画像信号等にもとづいてサブフィールド構成を切換える構成であってもよい。
【００３４】
なお、本実施の形態では、後述する全セル点灯率検出回路４６および部分点灯率検出回路４７において検出するサブフィールド毎の点灯率（所定の放電セル数に対する点灯させるべき放電セル数の割合のこと）に応じて、維持パルスの発生数を変更する。これにより、パネル１０の表示画像における階調の直線性を保ち、画像表示品質を向上させる。以下、まず駆動電圧波形の概要および駆動回路の構成について説明し、続いて、点灯率に応じて維持パルスの発生数を制御する構成について説明する。
【００３５】
図３は、本発明の実施の形態１におけるパネル１０の各電極に印加する駆動電圧波形図である。図３には、書込み期間において最初に走査を行う走査電極ＳＣ１、書込み期間において最後に走査を行う走査電極ＳＣｎ、維持電極ＳＵ１〜維持電極ＳＵｎ、およびデータ電極Ｄ１〜データ電極Ｄｍの駆動波形を示す。
【００３６】
また、図３には、２つのサブフィールドの駆動電圧波形、すなわち全セル初期化サブフィールドである第１サブフィールド（第１ＳＦ）と、選択初期化サブフィールドである第２サブフィールド（第２ＳＦ）とを示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋ（ｋ＝１〜ｍ）は、各電極の中から画像データ（サブフィールド毎の発光・非発光を示すデータ）にもとづき選択された電極を表す。
【００３７】
まず、全セル初期化サブフィールドである第１ＳＦについて説明する。
【００３８】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに（例えば、約１．３Ｖ／μｓｅｃの勾配で）上昇する傾斜電圧（以下、「上りランプ電圧」と呼称する）Ｌ１を印加する。
【００３９】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００４０】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜電圧（以下、「下りランプ電圧」と呼称する）Ｌ２を印加する。
【００４１】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００４２】
なお、図３の第２ＳＦの初期化期間に示したように、初期化期間の前半部を省略した駆動電圧波形を各電極に印加してもよい。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、接地電位）から電圧Ｖｉ４に向かって緩やかに下降する下りランプ電圧Ｌ４を印加する。これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も、過剰な部分が放電され、書込み動作に適した値に調整される。一方、直前のサブフィールドで維持放電を起こさなかった放電セルについては放電することはなく、直前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００４３】
続く書込み期間では、走査電極ＳＣ１〜走査電極ＳＣｎに対しては順次走査パルス電圧Ｖａを印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００４４】
書込み期間では、まず維持電極ＳＵ１〜維持電極ＳＵｎに電圧Ｖｅ２を、走査電極ＳＣ１〜走査電極ＳＣｎに電圧Ｖｃを印加する。
【００４５】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４６】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４７】
続く維持期間では、輝度重みに所定の輝度倍率を乗じた数の維持パルスを表示電極対２４に交互に印加して、書込み放電を発生した放電セルで維持放電を発生させて発光させる。
【００４８】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４９】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００５０】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００５１】
そして、維持期間における維持パルスの発生後に、走査電極ＳＣ１〜走査電極ＳＣｎに、０（Ｖ）から電圧Ｖｅｒｓに向かって緩やかに上昇する傾斜電圧（以下、「消去ランプ電圧」と呼称する）Ｌ３を印加する。これにより、維持放電を発生させた放電セルにおいて、微弱な放電を持続して発生させ、データ電極Ｄｋ上の正の壁電圧を残したまま、走査電極ＳＣｉおよび維持電極ＳＵｉ上の壁電圧の一部または全部を消去する。
【００５２】
続く第２ＳＦ以降のサブフィールドの各動作は、維持期間の維持パルスの数を除いて上述の動作とほぼ同様であるため説明を省略する。以上が、本実施の形態におけるパネル１０の各電極に印加する駆動電圧波形の概要である。
【００５３】
次に、本実施の形態におけるプラズマディスプレイ装置の構成について説明する。図４は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５、全セル点灯率検出回路４６、部分点灯率検出回路４７および各回路ブロックに必要な電源を供給する電源回路（図示せず）を備えている。
【００５４】
画像信号処理回路４１は、入力された画像信号ｓｉｇを放電セルにおけるサブフィールド毎の発光・非発光を示す画像データに変換する。
【００５５】
全セル点灯率検出回路４６は、サブフィールド毎の画像データにもとづき、パネル１０の画像表示面における全放電セル数に対する点灯させるべき放電セル数の割合を「全セル点灯率」としてサブフィールド毎に検出する。そして、検出した全セル点灯率を表す信号をタイミング発生回路４５に出力する。
【００５６】
部分点灯率検出回路４７は、パネル１０の表示領域を複数の領域に分け、サブフィールド毎の画像データにもとづき、領域毎かつサブフィールド毎に、各領域の放電セル数に対する点灯させるべき放電セル数の割合を「部分点灯率」として検出する。なお、部分点灯率検出回路４７は、例えば、走査電極２２を駆動するＩＣ（以下、「走査ＩＣ」と呼称する）の１つに接続された複数の走査電極２２で構成される領域を１つの領域として部分点灯率を検出する構成であってもよいが、本実施の形態では、１対の表示電極対２４を１つの領域と見なして部分点灯率を検出するものとする。
【００５７】
また、部分点灯率検出回路４７は、平均値検出回路４８を有する。平均値検出回路４８は、部分点灯率検出回路４７において検出した部分点灯率をあらかじめ定めた所定のしきい値（以下、「部分点灯率しきい値」と呼称する。）と比較する。そして、部分点灯率が部分点灯率しきい値以下になる表示電極対２４を除く表示電極対２４、すなわち部分点灯率が部分点灯率しきい値を超える表示電極対２４における部分点灯率の平均値をサブフィールド毎に算出し、その結果を表す信号をタイミング発生回路４５に出力する。例えば、パネル１０に設けた表示電極対２４が１０８０対であり、あるサブフィールドにおいて２００対の表示電極対２４の部分点灯率が部分点灯率しきい値以下であれば、そのサブフィールドでは、部分点灯率が部分点灯率しきい値よりも大きい８８０対の表示電極対２４に関して部分点灯率の平均値を算出する。
【００５８】
なお、本実施の形態では、部分点灯率しきい値を「０％」に設定するものとする。これは、点灯させるべき放電セルが実質的に発生しない表示電極対２４を、部分点灯率の平均値を算出する際に除外するためである。
【００５９】
しかし、本発明は、部分点灯率しきい値が何ら上述した数値に限定されるものではない。部分点灯率しきい値は、パネル１０の特性やプラズマディスプレイ装置１の仕様等にもとづいて最適な値に設定することが望ましい。
【００６０】
なお、本実施の形態においては、全セル点灯率および部分点灯率を算出する際に百分率表示のための正規化演算を行う構成とするが、必ずしも正規化演算を行う必要はなく、例えば、算出した点灯させるべき放電セル（以下、点灯させるべき放電セルを「点灯セル」、点灯させない放電セルを「非点灯セル」とも記す）の数を全セル点灯率および部分点灯率として用いる構成であってもかまわない。
【００６１】
タイミング発生回路４５は、水平同期信号Ｈ、垂直同期信号Ｖ、全セル点灯率検出回路４６および部分点灯率検出回路４７からの出力にもとづき各回路ブロックの動作を制御する各種のタイミング信号を発生し、それぞれの回路ブロックへ供給する。なお、本実施の形態では、上述したように、維持パルスの発生数を、全セル点灯率および部分点灯率の平均値に応じて変更している。具体的には、入力画像信号およびサブフィールド毎に設定された輝度重みにもとづきタイミング発生回路４５において設定する維持パルスの発生数を、全セル点灯率および部分点灯率の平均値にもとづく補正係数で補正することで、維持パルスの発生数を変更している。そのために、タイミング発生回路４５は、全セル点灯率および部分点灯率の平均値にもとづき維持パルスの発生数を補正することができる維持パルス数補正部を有する（図示せず）。
【００６２】
本実施の形態では、その維持パルス数補正部に、互いに異なる複数の補正係数を全セル点灯率および部分点灯率に関連付けてあらかじめ記憶し、そのうちのいずれか１つを全セル点灯率および部分点灯率の平均値に応じて読み出すことができるルックアップテーブルを有するものとする。これらの構成の詳細は後述する。しかし、本発明は何らこの構成に限定されるものではなく、同様の動作をするものであればどのような構成であってもよい。
【００６３】
走査電極駆動回路４３は、初期化期間において走査電極ＳＣ１〜走査電極ＳＣｎに印加する初期化波形を発生するための初期化波形発生回路（図示せず）、維持期間において走査電極ＳＣ１〜走査電極ＳＣｎに印加する維持パルスを発生するための維持パルス発生回路５０、複数の走査ＩＣを備え書込み期間において走査電極ＳＣ１〜走査電極ＳＣｎに印加する走査パルス電圧Ｖａを発生するための走査パルス発生回路（図示せず）を有する。そして、タイミング信号にもとづいて各走査電極ＳＣ１〜走査電極ＳＣｎをそれぞれ駆動する。
【００６４】
データ電極駆動回路４２は、サブフィールド毎の画像データを各データ電極Ｄ１〜データ電極Ｄｍに対応する信号に変換し、タイミング信号にもとづいて各データ電極Ｄ１〜データ電極Ｄｍを駆動する。
【００６５】
維持電極駆動回路４４は、維持パルス発生回路８０および電圧Ｖｅ１、電圧Ｖｅ２を発生するための回路を備え（図示せず）、タイミング信号にもとづいて維持電極ＳＵ１〜維持電極ＳＵｎを駆動する。
【００６６】
次に、走査電極駆動回路４３の詳細とその動作について説明する。なお、以下の説明においては、スイッチング素子を導通させる動作を「オン」、遮断させる動作を「オフ」と表記し、スイッチング素子をオンさせる信号を「Ｈｉ」、オフさせる信号を「Ｌｏ」と表記する。
【００６７】
図５は、本発明の実施の形態１におけるプラズマディスプレイ装置１の走査電極駆動回路４３の構成を示す回路図である。走査電極駆動回路４３は、走査電極２２側の維持パルス発生回路５０と、初期化波形発生回路５３と、走査パルス発生回路５４とを備え、走査パルス発生回路５４のそれぞれの出力はパネル１０の走査電極ＳＣ１〜走査電極ＳＣｎのそれぞれに接続されている。これは、書込み期間において各走査電極２２のそれぞれに個別に走査パルスを印加できるようにするためである。
【００６８】
初期化波形発生回路５３は、初期化期間において走査パルス発生回路５４の基準電位Ａ（走査パルス発生回路５４に入力される電圧）をランプ状に上昇または降下させ、図３に示した初期化波形を発生させる。
【００６９】
維持パルス発生回路５０は、電力回収回路５１とクランプ回路５２とを備えている。
【００７０】
電力回収回路５１は、電力回収用のコンデンサＣ１０、スイッチング素子Ｑ１１、スイッチング素子Ｑ１２、逆流防止用のダイオードＤ１１、逆流防止用のダイオードＤ１２、共振用のインダクタＬ１０を有している。そして、電極間容量ＣｐとインダクタＬ１０とをＬＣ共振させて維持パルスの立ち上がりおよび立ち下がりを行う。
【００７１】
クランプ回路５２は、走査電極ＳＣ１〜走査電極ＳＣｎを電圧Ｖｓにクランプするためのスイッチング素子Ｑ１３、走査電極ＳＣ１〜走査電極ＳＣｎをベース電位である０（Ｖ）にクランプするためのスイッチング素子Ｑ１４を有している。そして、スイッチング素子Ｑ１３を介して走査電極ＳＣ１〜走査電極ＳＣｎを電源ＶＳに接続して電圧Ｖｓにクランプし、スイッチング素子Ｑ１４を介して走査電極ＳＣ１〜走査電極ＳＣｎを接地して０（Ｖ）にクランプする。
【００７２】
なお、維持パルス発生回路５０は、タイミング発生回路４５から出力されるタイミング信号によりスイッチング素子Ｑ１１、スイッチング素子Ｑ１２、スイッチング素子Ｑ１３、スイッチング素子Ｑ１４の導通と遮断とを切換えることによって電力回収回路５１とクランプ回路５２とを動作させ、維持パルス波形を発生する。
【００７３】
例えば、維持パルスを立ち上げる際には、スイッチング素子Ｑ１１をオンにして電極間容量ＣｐとインダクタＬ１０とを共振させ、電力回収用のコンデンサＣ１０からスイッチング素子Ｑ１１、ダイオードＤ１１、インダクタＬ１０を通して走査電極ＳＣ１〜走査電極ＳＣｎに電力を供給する。そして、走査電極ＳＣ１〜走査電極ＳＣｎの電圧が電圧Ｖｓに近づいた時点で、スイッチング素子Ｑ１３をオンにして、走査電極ＳＣ１〜走査電極ＳＣｎを駆動する回路を電力回収回路５１からクランプ回路５２に切換え、走査電極ＳＣ１〜走査電極ＳＣｎを電圧Ｖｓにクランプする。
【００７４】
逆に、維持パルスを立ち下げる際には、スイッチング素子Ｑ１２をオンにして電極間容量ＣｐとインダクタＬ１０とを共振させ、電極間容量ＣｐからインダクタＬ１０、ダイオードＤ１２、スイッチング素子Ｑ１２を通して電力回収用のコンデンサＣ１０に電力を回収する。そして、走査電極ＳＣ１〜走査電極ＳＣｎの電圧が０（Ｖ）に近づいた時点で、スイッチング素子Ｑ１４をオンにして、走査電極ＳＣ１〜走査電極ＳＣｎを駆動する回路を電力回収回路５１からクランプ回路５２に切換え、走査電極ＳＣ１〜走査電極ＳＣｎをベース電位である０（Ｖ）にクランプする。
【００７５】
なお、これらのスイッチング素子は、ＭＯＳＦＥＴやＩＧＢＴ等の一般に知られた素子を用いて構成することができる。
【００７６】
走査パルス発生回路５４は、書込み期間において基準電位Ａを負の電圧Ｖａに接続するためのスイッチ７２と、電圧Ｖｃを与えるための電源ＶＣと、ｎ本の走査電極ＳＣ１〜走査電極ＳＣｎのそれぞれに走査パルス電圧Ｖａを印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。そして、スイッチング素子ＱＨｉをオフ、スイッチング素子ＱＬｉをオンにすることにより、スイッチング素子ＱＬｉを経由して走査電極ＳＣｉに負の走査パルス電圧Ｖａを印加する。
【００７７】
なお、初期化波形発生回路５３または維持パルス発生回路５０を動作させているときは、スイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに初期化波形電圧または維持パルス電圧Ｖｓを印加する。
【００７８】
図６は、本発明の実施の形態１におけるプラズマディスプレイ装置１の維持電極駆動回路４４の構成を示す回路図である。なお、図６にはパネル１０の電極間容量をＣｐとして示し、走査電極駆動回路４３の回路図は省略している。
【００７９】
維持電極駆動回路４４は、維持パルス発生回路５０とほぼ同様の構成の維持パルス発生回路８０を備えている。維持パルス発生回路８０は、電力回収回路８１およびクランプ回路８２を備え、パネル１０の維持電極ＳＵ１〜維持電極ＳＵｎに接続されている。このように、維持電極駆動回路４４の出力電圧は全ての維持電極２３に並列に印加される。これは、書込み期間、維持期間のいずれにおいても、全ての維持電極２３に一斉に駆動電圧を印加すればよく、維持電極２３を走査電極２２のように個別に駆動する必要がないためである。
【００８０】
電力回収回路８１は、電力回収用のコンデンサＣ２０、スイッチング素子Ｑ２１、スイッチング素子Ｑ２２、逆流防止用のダイオードＤ２１、逆流防止用のダイオードＤ２２、共振用のインダクタＬ２０を有している。クランプ回路８２は、維持電極ＳＵ１〜維持電極ＳＵｎを電圧Ｖｓにクランプするためのスイッチング素子Ｑ２３および維持電極ＳＵ１〜維持電極ＳＵｎを接地電位（０（Ｖ））にクランプするためのスイッチング素子Ｑ２４を有している。
【００８１】
そして、維持パルス発生回路８０は、タイミング発生回路４５から出力されるタイミング信号により各スイッチング素子のオン・オフを切換えて維持パルス波形を発生させる。なお、維持パルス発生回路８０の動作は上述した維持パルス発生回路５０と同様であるので説明を省略する。
【００８２】
また、維持電極駆動回路４４は、電圧Ｖｅ１を発生する電源ＶＥ１と、電圧Ｖｅ１を維持電極ＳＵ１〜維持電極ＳＵｎに印加するためのスイッチング素子Ｑ２６と、スイッチング素子Ｑ２７と、電圧ΔＶｅを発生する電源ΔＶＥと、逆流防止用のダイオードＤ３０と、電圧Ｖｅ１に電圧ΔＶｅを積み上げるためのチャージポンプ用のコンデンサＣ３０と、電圧Ｖｅ１に電圧ΔＶｅを積み上げて電圧Ｖｅ２とするためのスイッチング素子Ｑ２８と、スイッチング素子Ｑ２９とを有する。
【００８３】
次に、駆動負荷の変化により生じる発光輝度の差について説明する。
【００８４】
図７は、駆動負荷の変化により生じる発光輝度の差を説明するための概略図であり、図７（ａ）、図７（ｂ）は、あるサブフィールドにおけるパネル１０の表示面の発光状態を概略的に示したものである。また、図面に示す黒い領域は放電セルを発光させない非点灯領域を表し、白い領域は放電セルを発光させる点灯領域を表す。また、図７（ａ）は点灯領域を表示面の８０％に設定したときのパネル１０の発光状態を示した図であり、図７（ｂ）は点灯領域を２０％に設定したときの図である。なお、図７（ａ）、図７（ｂ）において表示電極対２４は図２に示したパネル１０と同様に行方向（図面では、横方向）に延長して配列されているものとする。
【００８５】
図７（ａ）、図７（ｂ）に示すように、点灯領域を変えてパネル１０を発光させると、点灯領域における発光輝度に差が生じる。これは、以下のような理由によるものと考えられる。
【００８６】
表示電極対２４は行方向（図面では、横方向）に延長して配列されているため、図７に示すように点灯領域を変えてパネル１０を発光させると、表示電極対２４上に発生する点灯セルの数が変わる。そして、点灯領域が狭くなるほど表示電極対２４上に発生する点灯セルの数が少なくなるため、例えば、図７（ａ）に示す発光状態のときの表示電極対２４よりも、図７（ｂ）に示す発光状態のときの表示電極対２４の方が、駆動負荷が小さくなる。したがって、図７（ａ）に示す発光状態のときの表示電極対２４よりも、図７（ｂ）に示す発光状態のときの表示電極対２４の方が、駆動電圧の電圧降下、例えば維持パルスの電圧降下が少なくなる。すなわち、図７（ａ）に示す点灯領域における維持放電よりも、図７（ｂ）に示す点灯領域における維持放電の方が、放電強度が強くなると考えられる。その結果、図７（ａ）に示す点灯領域よりも、図７（ｂ）に示す点灯領域の方が発光輝度が上昇するものと考えられる。
【００８７】
図８は、駆動負荷の変化により生じる発光輝度の差の他の例を説明するための概略図であり、図８（ａ）、図８（ｂ）は、あるサブフィールドにおけるパネル１０の表示面の発光状態を概略的に示したものである。また、図８（ａ）は点灯領域を表示面の５０％に設定したときのパネル１０の発光状態を示した図であり、図８（ｂ）は点灯領域を２５％に設定したときの図である。
【００８８】
図７（ａ）、図７（ｂ）では、点灯領域における表示電極対２４の駆動負荷、すなわち部分点灯率が変化する例を示したが、図８（ａ）、図８（ｂ）に示すように、点灯領域における部分点灯率が変わらなくとも、点灯セルの総数、すなわち全セル点灯率が変化することで、点灯領域における発光輝度に変化が生じる。これは、上述したように、維持電極駆動回路４４が全ての維持電極２３に並列に接続され、全ての維持電極２３が一括駆動されているため、全セル点灯率が変化することで維持電極駆動回路４４からの出力電圧に生じる電圧降下が変化することが主な理由と考えられる。
【００８９】
すなわち、点灯セルにおける発光輝度の変化を精度良く推定するためには、パネル１０における全セル点灯率および部分点灯率（本実施の形態では、部分点灯率の平均値）の双方を検出することが望ましい。
【００９０】
これらのことから、本実施の形態では、サブフィールド毎に全セル点灯率と部分点灯率の平均値とを検出するものとする。そして、その検出結果にもとづき１つの維持期間における維持パルスの発生数を変更し、それにより１つの維持期間で発生させる輝度（維持放電で発生する発光を１つの維持期間で累積した輝度）を制御して各サブフィールドの輝度を所定の明るさに保つ構成とする。これにより、表示画像における階調の直線性を維持し、画像表示品質を高めることが可能となる。
【００９１】
なお、本実施の形態では、入力画像信号および輝度重みにもとづき設定される維持パルスの発生数を、全セル点灯率および部分点灯率の平均値にもとづく補正係数で補正し、その結果の数だけ維持パルスを発生することで維持パルスの発生数を制御する構成とする。
【００９２】
次に、補正係数の設定方法の一例を説明する。
【００９３】
図９は、本発明の実施の形態１における補正係数を設定するために行う発光輝度の測定を概略的に示す図である。本実施の形態では、補正係数を設定するために、まず、図９に示すように、パネル１０に点灯領域と非点灯領域とが２つに分かれた画像を表示し、点灯領域を徐々に拡大してそれぞれの発光輝度を測定する。
【００９４】
例えば、点灯領域が、パネル１０の表示領域の行方向（図面では、横方向）および列方向（図面では、縦方向）のそれぞれにおいて１０％になるように設定された画像を表示し、点灯領域の発光輝度を測定する。これにより、全セル点灯率が１％、部分点灯率の平均値が１０％の画像の発光輝度を得ることができる。
【００９５】
次に、点灯領域が、パネル１０の表示領域の行方向において１０％、列方向において２０％になるように設定された画像を表示し、点灯領域の発光輝度を測定する。これにより、全セル点灯率が２％、部分点灯率の平均値が１０％の画像の発光輝度を得ることができる。
【００９６】
同様に、点灯領域を徐々に拡大してそれぞれの発光輝度を測定する。これらの測定を繰り返すことで、全セル点灯率、部分点灯率の平均値が互いに異なる複数の画像のそれぞれにおける発光輝度を得ることができる。
【００９７】
そして、基準となる発光輝度を「１」として各発光輝度を正規化する。例えば、全セル点灯率および部分点灯率の平均値が１００％のときの発光輝度を基準の発光輝度とし、各発光輝度を正規化する。そして、その数値の逆数をそれぞれ計算する。本実施の形態では、それを補正係数とする。例えば、全セル点灯率および部分点灯率の平均値が１００％のときの発光輝度を「１」としたときに、全セル点灯率が５％、部分点灯率の平均値が４０％のときの発光輝度が「１．２５」であれば、「１．２５」の逆数の「０．８０」を、全セル点灯率が５％、部分点灯率の平均値が４０％のときの補正係数とする。
【００９８】
図１０は、本発明の実施の形態１における補正係数の一例を示す図である。また、図１１は、本発明の実施の形態１における維持パルス数補正部６１の回路ブロック図である。
【００９９】
図１１に示すように、本実施の形態におけるタイミング発生回路４５は、内部に維持パルス数補正部６１を有する。維持パルス数補正部６１は、ルックアップテーブル６２（図面には、「ＬＵＴ」と記す）と補正後維持パルス数設定部６３とを有する。ルックアップテーブル６２は複数の補正係数を記憶しており、全セル点灯率および部分点灯率の平均値にもとづきいずれか１つの補正係数を読み出すことができる。補正後維持パルス数設定部６３は、入力画像信号および輝度重みにもとづき設定された維持パルスの発生数（以下、単に「維持パルス数」とも記す）に、ルックアップテーブル６２から読み出された補正係数を乗算し、補正後維持パルス数として出力する。そして、タイミング発生回路４５では、各サブフィールドにおいて、補正後維持パルス数設定部６３から出力される補正後維持パルス数と等しい数の維持パルスが、維持パルス発生回路５０、維持パルス発生回路８０から出力されるように、各回路ブロックを制御するためのタイミング信号を発生する。
【０１００】
図１０には、全セル点灯率（０％から１００％まで）を１０％毎の１０段階に区切るとともに、それぞれの全セル点灯率において部分点灯率の平均値（０％から１００％まで）を１０％毎の１０段階に区切り、それぞれの全セル点灯率および部分点灯率の平均値に対応する補正係数を示す。なお、例えば、全セル点灯率１００％のときに部分点灯率の平均値が１００％未満になることはない。そのような実質的に発生しない組み合わせに関しては図面中「−」で示している。なお、図１０は単なる一実施例を示したものに過ぎず、本発明は、全セル点灯率および部分点灯率の平均値の区切りが何ら図１０に示す区切りに限定されるものではなく、各補正係数も何ら図１０に示す数値に限定されるものではない。
【０１０１】
図１０に示すように、本実施の形態では、上述した方法で得られた各補正係数を全セル点灯率および部分点灯率の平均値に関連付けしてマトリクス化し、それをルックアップテーブル６２に記憶する。そして、そのルックアップテーブル６２に記憶された複数の補正係数の中から、サブフィールド毎に検出した全セル点灯率および部分点灯率の平均値にもとづきいずれか１つの補正係数を読み出し、読み出した補正係数を用いてそのサブフィールドにおける維持パルスの発生数を補正する。
【０１０２】
例えば、第６ＳＦにおける入力画像信号および輝度重みにもとづき設定される維持パルスの発生数が「１２８」であり、第６ＳＦにおける全セル点灯率が５％、部分点灯率の平均値が４５％であれば、図１０に示すルックアップテーブル６２のデータから得られる補正係数は「０．８０」なので、補正後維持パルス数設定部６３において「１２８」と「０．８０」とを乗算し、第６ＳＦにおける維持パルスの発生数を「１０２」にする。これにより、第６ＳＦの輝度を、維持パルスの発生数を「１２８」にしたときの８０％にすることができ、第６ＳＦの全セル点灯率が１００％のときの輝度と同等にすることができる。
【０１０３】
すなわち、本実施の形態では、それぞれのサブフィールドにおいて、入力画像信号および輝度重みにもとづき設定される維持パルスの発生数を、全セル点灯率および部分点灯率の平均値にもとづく補正係数によって補正することで、各サブフィールドの輝度を、放電セルの点灯状態にかかわらず、常に所定の輝度（例えば、全セル点灯率１００％のときの輝度）に等しくすることができる。
【０１０４】
以上説明したように、本実施の形態では、サブフィールド毎に全セル点灯率および部分点灯率の平均値を検出することで、サブフィールド毎に生じる発光輝度の変化を精度良く推定する。そして、あらかじめ設定した複数の補正係数を全セル点灯率および部分点灯率の平均値に関連付けて記憶したルックアップテーブル６２から、サブフィールド毎に検出した全セル点灯率および部分点灯率の平均値にもとづきいずれか１つの補正係数を読み出し、補正後維持パルス数設定部６３において、入力画像信号および輝度重みにもとづき設定される維持パルスの発生数をその補正係数で補正する構成とする。これにより、各サブフィールドの輝度を、常に所定の輝度（例えば、全セル点灯率１００％のときの輝度）に保つことができるので、表示画像における階調の直線性を保ち、画像表示品質を高めることが可能となる。
【０１０５】
なお、本実施の形態では、補正係数の最大値を「１」にして各補正係数を設定する構成を説明したが、これは、各サブフィールドに要する時間の総和がほぼ１フィールドに達し、さらに維持期間を延長して維持パルス数を増やすことが難しい場合に有効な一実施例を示したものに過ぎない。例えば、輝度倍率が小さいとき等、各サブフィールドに要する時間の総和が１フィールドに対して余裕があり維持期間を延長して維持パルス数を増やすことができる場合には、補正係数の最大値が「１」よりも大きくなるように各補正係数を設定し、補正により維持パルスの発生数が増加するサブフィールドが生じるような構成としてもかまわない。ただし、どのような構成であっても、補正後の各サブフィールドに要する時間の総和が１フィールドに収まるように補正係数を設定しなければならない。
【０１０６】
（実施の形態２）
パネル１０の大画面化、高精細化はパネル１０の電極間容量Ｃｐを増大させる。電極間容量Ｃｐの増大は、パネル１０を駆動する際に発光に寄与することなく無効に消費される無効電力を増加させるため、消費電力を増大させる一因となる。
【０１０７】
また、大画面化、高精細化されて駆動インピーダンスが増大したパネル１０では、駆動波形にリンギング等の波形歪が生じやすい。そのため、放電のばらつきが大きくなりやすく、輝度ムラと呼ばれる輝度のばらつきを生じやすい。
【０１０８】
このとき、例えば、維持パルスを立ち上げるために電力回収回路５１、電力回収回路８１を動作させる期間（以下、「立ち上がり期間」と呼称する）および維持パルスを立ち下げるために電力回収回路５１、電力回収回路８１を動作させる期間（以下、「立ち下がり期間」と呼称する）の少なくとも一方の長さを変更するとともに、維持パルスの立ち上がり期間と立ち下がり期間とを重複させる期間（以下、「重複期間」と呼称する）を、表示画像に応じて変更することで、パネル１０における消費電力を削減しつつ、維持放電を安定に発生させることができる。
【０１０９】
そこで、本実施の形態では、「立ち上がり期間」および「立ち下がり期間」の少なくとも一方の長さが異なる複数の維持パルスを発生させるとともに、発生させる維持パルスの組み合わせ、および「重複期間」の長さを異ならせた複数の駆動パターン（例えば、第１駆動パターン、第２駆動パターン、第３駆動パターン、第４駆動パターン、第５駆動パターンの５つの駆動パターン）を設定し、表示画像に応じて適応的にそれらを切換える構成とする。
【０１１０】
図１２は、本発明の実施の形態２におけるプラズマディスプレイ装置２の回路ブロック図である。なお、プラズマディスプレイ装置２は、タイミング発生回路６０が駆動パターン選択部４９を有する以外は、図４に示したプラズマディスプレイ装置１と同様の構成であるものとする。
【０１１１】
駆動パターン選択部４９は、上述した複数の駆動パターンのうちのいずれか１つを、全セル点灯率検出回路４６および部分点灯率検出回路４７からの出力にもとづき選択し、その選択結果にもとづき、各制御を行うためのタイミング信号を、タイミング発生回路６０において発生する。
【０１１２】
図１３は、本発明の実施の形態２における全セル点灯率および部分点灯率の平均値と駆動パターンの切換えとの関係の一例を示す図である。
【０１１３】
本実施の形態では、図１３に示すように、部分点灯率の平均値が大きくなく（例えば、７０％未満）、かつ全セル点灯率が低い（例えば、３０％未満）サブフィールドでは、第１駆動パターンで維持パルスを発生させる。この第１駆動パターンは、発光輝度の向上を目的とした駆動パターンであり、これにより、全セル点灯率が低く、かつ部分点灯率の平均値が大きくないとき、すなわちパネル１０の駆動負荷が全体的に低いときの発光輝度を向上させる。
【０１１４】
また、部分点灯率の平均値が大きく（例えば、７０％以上）、かつ全セル点灯率が高い（例えば、７０％以上）サブフィールドでは、第２駆動パターンで維持パルスを発生させる。この第２駆動パターンは、発光効率改善を目的とした駆動パターンであり、これにより、全セル点灯率が高く、かつ部分点灯率の平均値が大きいとき、すなわちパネル１０の駆動負荷が全体的に高いときに発光効率を改善して消費電力の低減を図る。
【０１１５】
また、部分点灯率の平均値が大きく（例えば、７０％以上）、かつ全セル点灯率が所定の範囲内にある（例えば、３０％以上７０％未満）サブフィールドでは、第３駆動パターンで維持パルスを発生させる。この第３駆動パターンは、発光輝度の向上と発光効率改善とを目的とした駆動パターンであり、これにより、全セル点灯率がやや高くかつ部分点灯率の平均値が大きいとき、すなわちパネル１０の駆動負荷が部分的に高いときに、発光輝度の向上による画像表示品質の向上と、発光効率改善による消費電力の低減とを図る。
【０１１６】
また、部分点灯率の平均値が大きく（例えば、７０％以上）、かつ全セル点灯率が低い（例えば、３０％未満）サブフィールドでは、第４駆動パターンで維持パルスを発生させる。この第４駆動パターンは、発光効率改善の効果を最も高めることを目的とした駆動パターンであり、これにより、全セル点灯率が低くかつ部分点灯率の平均値が大きい画像を表示するときの、発光効率改善による消費電力の低減効果の向上を図る。
【０１１７】
また、部分点灯率の平均値が大きくなく（例えば、７０％未満）、かつ全セル点灯率が所定の範囲内にある（例えば、３０％以上７０％未満）サブフィールドでは、第５駆動パターンで維持パルスを発生させる。この第５駆動パターンは、発光輝度の向上を目的とした駆動パターンであり、これにより、全セル点灯率がやや高くかつ部分点灯率の平均値が大きくないとき、すなわちパネル１０における駆動負荷の高い領域が第３駆動パターンを適用するときほどは偏っておらず、かつ駆動負荷が全体的にやや高いときの発光輝度を向上させる。
【０１１８】
次に、各駆動パターンの詳細について図１４から図１８を用いて説明する。図１４は、本発明の実施の形態２における第１駆動パターンにおいて発生させる維持パルスの概略波形図であり、図１５は、本発明の実施の形態２における第２駆動パターンにおいて発生させる維持パルスの概略波形図であり、図１６は、本発明の実施の形態２における第３駆動パターンにおいて発生させる維持パルスの概略波形図であり、図１７は、本発明の実施の形態２における第４駆動パターンにおいて発生させる維持パルスの概略波形図であり、図１８は、本発明の実施の形態２における第５駆動パターンにおいて発生させる維持パルスの概略波形図である。なお、図１４、図１５、図１６、図１７、図１８において、図面内の上に示した図は発生させる維持パルスの概略波形形状を示した図であり、図面内の下には「立ち上がり期間」、「立ち下がり期間」、「重複期間」のそれぞれの具体的な数値を示している。また、図１４、図１５、図１６、図１７、図１８においては、各維持パルスのパルス幅は２．７μｓｅｃであるものとする。
【０１１９】
なお、本実施の形態では、図１４、図１５、図１６、図１７、図１８に示すように、８つの維持パルスから構成される１つのパターンを繰り返して発生させる構成としている。また、全ての駆動パターンにおいて、電力回収回路５１、電力回収回路８１における共振周期は２０００ｎｓｅｃに設定している。
【０１２０】
本実施の形態において、第１駆動パターンは、図１４に示すように、１つ目の維持パルス（図面のＡ）は「立ち上がり期間」を８００ｎｓｅｃ、「立ち下がり期間」を５５０ｎｓｅｃとし、２つ目の維持パルス（図面のＢ）はそれぞれを４００ｎｓｅｃ、５００ｎｓｅｃとし、３つ目の維持パルス（図面のＣ）から８つ目の維持パルス（図面のＨ）はそれぞれを８００ｎｓｅｃ、５５０ｎｓｅｃとする。そして、「重複期間」を１５０ｎｓｅｃとする。
【０１２１】
また、第２駆動パターンは、図１５に示すように、１つ目の維持パルス（図面のＡ）は「立ち上がり期間」を６５０ｎｓｅｃ、「立ち下がり期間」を１０００ｎｓｅｃとし、２つ目の維持パルス（図面のＢ）はそれぞれを４５０ｎｓｅｃ、８５０ｎｓｅｃとし、３つ目の維持パルス（図面のＣ）から８つ目の維持パルス（図面のＨ）はそれぞれを６５０ｎｓｅｃ、１０００ｎｓｅｃとする。そして、「重複期間」を１５０ｎｓｅｃとする。
【０１２２】
また、第３駆動パターンは、図１６に示すように、１つ目の維持パルス（図面のＡ）は「立ち上がり期間」を７００ｎｓｅｃ、「立ち下がり期間」を９００ｎｓｅｃとし、２つ目の維持パルス（図面のＢ）はそれぞれを４５０ｎｓｅｃ、８００ｎｓｅｃとし、３つ目の維持パルス（図面のＣ）、５つ目の維持パルス（図面のＥ）、７つ目の維持パルス（図面のＧ）はそれぞれを７００ｎｓｅｃ、９００ｎｓｅｃとし、４つ目の維持パルス（図面のＤ）、６つ目の維持パルス（図面のＦ）、８つ目の維持パルス（図面のＨ）はそれぞれを７５０ｎｓｅｃ、９００ｎｓｅｃとする。そして、「重複期間」を２００ｎｓｅｃとする。
【０１２３】
また、第４駆動パターンは、図１７に示すように、１つ目の維持パルス（図面のＡ）は「立ち上がり期間」を７５０ｎｓｅｃ、「立ち下がり期間」を９００ｎｓｅｃとし、２つ目の維持パルス（図面のＢ）はそれぞれを４５０ｎｓｅｃ、８００ｎｓｅｃとし、３つ目の維持パルス（図面のＣ）から８つ目の維持パルス（図面のＨ）はそれぞれを７５０ｎｓｅｃ、９００ｎｓｅｃとする。そして、「重複期間」を１５０ｎｓｅｃとする。
【０１２４】
そして、第５駆動パターンは、図１８に示すように、１つ目の維持パルス（図面のＡ）は「立ち上がり期間」を７５０ｎｓｅｃ、「立ち下がり期間」を９００ｎｓｅｃとし、２つ目の維持パルス（図面のＢ）はそれぞれを４５０ｎｓｅｃ、８００ｎｓｅｃとし、３つ目の維持パルス（図面のＣ）、５つ目の維持パルス（図面のＥ）、７つ目の維持パルス（図面のＧ）はそれぞれを７５０ｎｓｅｃ、９００ｎｓｅｃとし、４つ目の維持パルス（図面のＤ）、６つ目の維持パルス（図面のＦ）、８つ目の維持パルス（図面のＨ）はそれぞれを６５０ｎｓｅｃ、９００ｎｓｅｃとする。そして、「重複期間」を１５０ｎｓｅｃとする。
【０１２５】
そして、これらの５つの駆動パターンを全セル点灯率および部分点灯率の平均値に応じて切換えてパネル１０を駆動することで、表示画像の図柄にもよるが、一般的な動画表示において、平均して約１０〜３０Ｗの消費電力削減効果を確認することができた。合わせて、放電のばらつき低減効果による画像表示品質の向上を確認することができた。
【０１２６】
このように適応的に駆動パターンを切換えながらパネル１０を駆動する構成では、消費電力を削減したり、放電のばらつきを低減する効果を得ることができるが、一方で、サブフィールド間で駆動パターンの違いが生じて、維持パルスの波形形状が異なることにより発生する輝度差がサブフィールド間に生じ、その結果、発光輝度がサブフィールド間で変化して、階調の直線性が損なわれるおそれがある。
【０１２７】
しかしながら、本実施の形態では、実施の形態１において説明したように、全セル点灯率、部分点灯率の平均値が異なる複数の画像のそれぞれで発光輝度を測定し、その測定結果にもとづき補正係数を設定しているので、適応的に駆動パターンを切換えながらパネル１０を駆動する構成であっても、駆動パターンの違いからくる発光輝度の変化も含めて補正係数を設定することができる。すなわち、サブフィールド間で駆動パターンが異なり、一回の維持放電で生じる発光輝度に、駆動負荷の変化により生じる差よりも大きい差が生じたとしても、各サブフィールドの輝度を、常に所定の輝度（例えば、全セル点灯率１００％のときの輝度）に保つことができる。これにより、表示画像における階調の直線性を保ち、画像表示品質を高めることが可能となる。
【０１２８】
なお、本実施の形態では、８つの維持パルスから構成される１つのパターンを繰り返し発生させる構成を説明したが、維持パルスの総数が８未満の維持期間においては、全ての維持パルスを同一の波形形状としてもよく、あるいは、プラズマディスプレイ装置２の仕様等に応じて任意に設定してもよい。
【０１２９】
また、ここに示した各駆動パターンの構成は単なる一例に過ぎず、適宜最適に設定すればよい。また、８つの維持パルスで１つのパターンを構成する例に限定されるものではなく、より多くの維持パルス、あるいはより少ない維持パルスで１つのパターンを構成してもかまわない。また、共振周期も何ら上述した数値に限定されるものではない。これらの構成は、パネル１０の特性やプラズマディスプレイ装置２の仕様等に応じて最適に設定することが望ましい。
【０１３０】
なお、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【０１３１】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造（「ＡＢＢＡ電極構造」と呼称する）のパネルにおいても、有効である。
【０１３２】
なお、本実施の形態において示した具体的な各数値は、表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【０１３３】
本発明は、大画面化、高精細化されたパネルであっても、サブフィールド毎に生じる発光輝度の変化を精度良く推定し、表示画像における階調の直線性を保って画像表示品質を向上させることができるプラズマディスプレイ装置およびパネルの駆動方法を提供することができるので、プラズマディスプレイ装置およびパネルの駆動方法として有用である。
【図面の簡単な説明】
【０１３４】
【図１】本発明の実施の形態１におけるパネルの構造を示す分解斜視図
【図２】同パネルの電極配列図
【図３】同パネルの各電極に印加する駆動電圧波形図
【図４】本発明の実施の形態１におけるプラズマディスプレイ装置の回路ブロック図
【図５】本発明の実施の形態１におけるプラズマディスプレイ装置の走査電極駆動回路の構成を示す回路図
【図６】本発明の実施の形態１におけるプラズマディスプレイ装置の維持電極駆動回路の構成を示す回路図
【図７】駆動負荷の変化により生じる発光輝度の差を説明するための概略図
【図８】駆動負荷の変化により生じる発光輝度の差の他の例を説明するための概略図
【図９】本発明の実施の形態１における補正係数を設定するために行う発光輝度の測定を概略的に示す図
【図１０】本発明の実施の形態１における補正係数の一例を示す図
【図１１】本発明の実施の形態１における維持パルス数補正部の回路ブロック図
【図１２】本発明の実施の形態２におけるプラズマディスプレイ装置の回路ブロック図
【図１３】本発明の実施の形態２における全セル点灯率および部分点灯率の平均値と駆動パターンの切換えとの関係の一例を示す図
【図１４】本発明の実施の形態２における第１駆動パターンにおいて発生させる維持パルスの概略波形図
【図１５】本発明の実施の形態２における第２駆動パターンにおいて発生させる維持パルスの概略波形図
【図１６】本発明の実施の形態２における第３駆動パターンにおいて発生させる維持パルスの概略波形図
【図１７】本発明の実施の形態２における第４駆動パターンにおいて発生させる維持パルスの概略波形図
【図１８】本発明の実施の形態２における第５駆動パターンにおいて発生させる維持パルスの概略波形図
【符号の説明】
【０１３５】
１，２    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５，６０    タイミング発生回路
４６    全セル点灯率検出回路
４７    部分点灯率検出回路
４８    平均値検出回路
４９    駆動パターン選択部
５０，８０    維持パルス発生回路
５１，８１    電力回収回路
５２，８２    クランプ回路
５３    初期化波形発生回路
５４    走査パルス発生回路
６１    維持パルス数補正部
６２    ルックアップテーブル
６３    補正後維持パルス数設定部
７２    スイッチ
Ｑ１１，Ｑ１２，Ｑ１３，Ｑ１４，Ｑ２１，Ｑ２２，Ｑ２３，Ｑ２４，Ｑ２６，Ｑ２７，Ｑ２８，Ｑ２９，ＱＨ１〜ＱＨｎ，ＱＬ１〜ＱＬｎ    スイッチング素子
Ｃ１０，Ｃ２０，Ｃ３０    コンデンサ
Ｌ１０，Ｌ２０    インダクタ
Ｄ１１，Ｄ１２，Ｄ２１，Ｄ２２，Ｄ３０    ダイオード
【図１】
2010175665.tif 000003
【図２】
2010175665.tif 000004
【図３】
2010175665.tif 000005
【図４】
2010175665.tif 000006
【図５】
2010175665.tif 000007
【図６】
2010175665.tif 000008
【図７】
2010175665.tif 000009
【図８】
2010175665.tif 000010
【図９】
2010175665.tif 000011
【図１０】
2010175665.tif 000012
【図１１】
2010175665.tif 000013
【図１２】
2010175665.tif 000014
【図１３】
2010175665.tif 000015
【図１４】
2010175665.tif 000016
【図１５】
2010175665.tif 000017
【図１６】
2010175665.tif 000018
【図１７】
2010175665.tif 000019
【図１８】
2010175665.tif 000020